(57)【要約】【課題】留守録機能が有効となっていても、静寂を要求される場面において、音声が流れるような、悪マナーを合理的に防止すること。【解決手段】留守録が有効になっているときにマナーモードの設定がされると、着信の録音において、リンガ、スピーカを鳴らさないよう無音化処理する。【選択図】図５
2004274121.tif 000002
【特許請求の範囲】
【請求項１】
着信があると自動応答して、通話相手の声を録音する留守録機能を備えた電話機であって、
マナーモード設定手段と、
マナーモードに設定された状態で、留守録機能が有効とされている場合に、着信があると、通話相手音出力用スピーカーを無音化する制御手段と
を備えたことを特徴とする電話機。
【請求項２】
更に、ユーザにより無音化を解除する操作手段を備え、
無音状態で通話相手の声を録音中に、前記操作手段が操作された場合、無音化を解除することを特徴とする請求項１記載の電話機。
【発明の詳細な説明】
【０００１】
【発明の属する技術分野】
本発明は、着信があると自動応答して、通話相手の声を録音する留守録機能を備えた電話機、主として携帯電話機に関する。
【０００２】
【従来の技術】
近年、携帯電話機において、着信があった場合、自動的に応答し、通話相手の声を自機内のメモリに録音する、いわゆる留守録機能を備えたものが普及しつつある（特許文献１参照）。
この場合、留守録機能が、有効化されている場合には、通話相手の声が録音されるとともに、受話スピーカから相手の声を流すようにしている。スピーカから音声を流すのは、ユーザが相手の声や用件を確認するために、必要とされる場面が多いからである。
【０００３】
【特許文献１】
特開２００１−２５１６７２号公報
【０００４】
【発明が解決しようとする課題】
ところで、携帯電話機を携帯したまま、例えば会議等に出席している場合に、留守録機能を有効化しているので安心していると、急にモニターから通話相手の声が流れ、会議の進行の邪魔になることがある。特に重要な会議に出席しているような場合には、尚更、このような事態を避けることが要請される。
【０００５】
なお、上記した問題は、携帯電話機に限らず、親子電話機の子機においても生じることが予想される。
本発明は、会議等の静寂を要求される場面に対応するために利用されているマナーモードに着目し、留守録機能が有効となっていても、静寂を要求される場面において、音声が流れるような、悪マナーを合理的に防止する電話機を提供することを主たる目的としている。
【０００６】
【課題を解決する手段】
上記目的を達成するために本発明は、着信があると自動応答して、通話相手の声を録音する留守録機能を備えた電話機であって、マナーモード設定手段と、マナーモードに設定された状態で、留守録機能が有効とされている場合に、着信があると、受話スピーカーを無音化する制御手段とを備えたことを特徴としている。
【０００７】
ここで、更に、ユーザにより無音化を解除する操作手段を備え、無音状態で通話相手の声を録音中に、前記操作手段が操作された場合、無音化を解除することができる。
【０００８】
【実施の形態】
以下、本発明の一実施の形態を図面に従って説明する。
＜全体構造＞
図１は、携帯電話機の概略構成を示す側面断面図である。図に示すように、携帯電話機１０は折畳型であって、第１筐体１１と第２筐体１２とが図外の連結体により折畳可能に接続されている。
【０００９】
第１筐体１１には、レシーバ１３、リンガ１４、及び表示部１５を備え、第２筐体１２には、状態検出スイッチ１６、振動モータ１７、操作部１８、及びマイク１９を備える。
レシーバ１３は、通話音声の出力や、録音メッセージの再生に使用される。リンガ１４は、着信報知音を含む報知用の音声を発生する。表示部１５は、カラー液晶パネル、ＤＭＤ（デジタル・ミラー・デバイス）、有機ＥＬパネル、又はＰＤＰ（プラズマ・ディスプレイ・パネル）などで実現され、現在時刻、バッテリ残量、電波強度等を示す状態情報、発信者電話番号、メール内容、各種設定内容等を表示する。
【００１０】
状態検出スイッチ１６は、携帯電話機１０が折畳状態にあるか展開状態にあるかを検出する。振動モータ１７は、報知用の振動を発生させる。操作部１８は、図２に見られるように、テンキー１８ａ、・・・、ＯＦＦフックキー１８ｂ、ＯＮフックキー１８ｃの他に、フレキシブルキー１８ｄ、メニュー／ＯＫキー１８ｅ、４接点キー１８ｆ、クリアキー１８ｇ、更に留守録キー１８ｈ等を含み、電話番号や文字、及び各種設定の入力に使用される。前記留守録キー１８ｈは、第２筐体の側面の一部の凹入された部分に設けられている。留守録キー１８ｈを操作すると、留守録の有効化、解除ができる。
【００１１】
前記クリアキー１８ｇは、表示部に表示している内容をリセットする等する機能キーであるが、このキーを長押しすると、マナーモードに設定・解除操作することが出来る。
また、４接点キー１８ｆの、例えば「上」側キーを操作すると、マナーモードで受話スピーカから音が出ない設定になっている状態を解除し、スピーカから音が出るようにすることが出来る。一方、４接点キー１８ｆの「下」側キーを操作すると、スピーカから音が出る状態を解除し、再び無音化に戻すことができる。これら各キーを操作したときの機能・動作の詳細は、後述のフローチャートを用いて説明する。
【００１２】
マイク１９は、通話音声や音声コマンドの入力に使用される。
ユーザは携帯電話機１０を、通話操作、メッセージ録音再生操作、音声コマンド入力操作、及び電子メール操作の際に展開状態にする。特に、通話操作、メッセージ録音再生操作、音声コマンド入力操作では、ユーザは展開状態の携帯電話機を耳に当てて使用する。一方、着信待ち受けとか留守録の際には、折畳状態にしている。
＜機能構成＞
図３は、携帯電話機１０の機能構成を示すブロック図である。
【００１３】
携帯電話機１０は、レシーバ１３、リンガ１４、表示部１５、状態検出スイッチ１６、振動モータ１７、操作部１８、マイク１９、アンテナ２０、送受信部２１、変復調部２２、音声処理部２３、制御部３０から構成される。
図１に示した各構成部品に対応する機能ブロックについては、図１と同一の符号を付して説明を省略する。
【００１４】
送受信部２１は、フィルタ、増幅器などからなる回路であって、アンテナ２０を介し、外部に対して通信データの送信及び受信を行なう。通信データとしては、音声データの他に電子メールなどに含まれる文字データ及び通信制御に用いられる制御データからなる。
変復調部２２は、送信するデータの変調、受信データの復調を行う。そして復調したデータに音声データが含まれる場合には、音声データを抽出し、音声処理部２３に出力する。残りのデータは、制御データ、文字データを含み、これらは制御部３０に出力する。
【００１５】
制御部３０は、マイクロプロセッサ３１と、ＲＯＭ３２、ＲＡＭ３３などを有し、ＲＯＭ３２に格納された制御プログラムにしたがって、マイクロプロセッサ３１が、待ち受け中に制御チャンネルを通じて基地局と行う通信、着信検出、着信があったときの処理、発信処理、各種モード設定、電池の残量検出等々、携帯電話機として必要な処理を行う。
【００１６】
これらの処理の内、モード設定処理を図４に、着信処理を図５に示す。
図４のモード設定処理は、マナーモード設定と留守録モード設定の処理を示す。携帯電話機としては、文字入力モード、短縮登録モード等々、その他にも多くのモードが設けられているが、本発明の主題と関係が薄いので、図示省略する。
モード設定においては、マナーモード設定キー（クリアキー１８ｇの長押し）が押下されたか、留守録キー１８ｈが押下されたかが判断される（Ｓ１、Ｓ２）。マナーモードキーが押下された場合には、その時点における携帯電話の状態がマナーモード中にあるか否かが判断され（Ｓ３）、マナーモード中であるならマナーモードが解除される（Ｓ４）。一方、そのときの携帯電話機の状態がマナーモード中でなければ、マナーモードに設定される（Ｓ５）。この設定、設定解除は、具体的には、マナーモード設定用に割り当てられたフラグをＯＮ／ＯＦＦする処理である。
【００１７】
留守録キー１８ｈが操作された場合には、その時点における携帯電話機の状態が、留守録モードになっているか否かが判断され（Ｓ６）、留守録モードに入っていれば、留守録モードの解除がなされ、入っていなければ、留守録モードに入る設定がなされる。この設定、解除もやはり留守録モードに割り当てられたフラグをＯＮ／ＯＦＦする処理である。
【００１８】
上記の各種モード設定がなされた後、待ち受け中に着信があると、図５の処理が開始する。まず、留守録が有効でなく（留守録モードの設定が解除されている）（Ｓ１１）、マナーモードの設定もされていない場合（Ｓ１２）、リンガを鳴動させて、ユーザに着信を報知し、ユーザがオフフックボタンを操作して、通常の通話処理を行う（Ｓ１３）。また、マナーモードだけが設定されている場合には（Ｓ１４）リンガ１４を鳴らさず、振動モータ１７を駆動してユーザに着信を知らせ、ユーザ操作を通じて通話に入るというマナーモードでの通話を行う（Ｓ１４）。
【００１９】
一方、留守録が有効になっており、マナーモードに設定されている場合には（Ｓ１１→Ｓ１５）、リンガ１４及び受話スピーカ１３をＯＦＦにする（Ｓ１６）。したがってこの場合は、着信があっても、リンガ１４が鳴動することはない。かつ、留守録モードなので、ユーザのオフフック操作を待つことなく、自動的に回線接続し（Ｓ１７）、応答メッセージを送出し（Ｓ１８）、通話相手の音声を録音する（Ｓ１９）。通話相手が伝言を終え、回線断を行うと（Ｓ２０）、処理を終了する。
【００２０】
他方、録音中に、ユーザが無音化解除キー（４接点キー１８ｆの「上」側キー）を操作すると（Ｓ２１）、操作されたキーが無音化解除キーであることを確認の上（Ｓ２４）、受話スピーカをＯＮする（Ｓ２２）。この結果、通話相手の音声を受話スピーカから聞くことができる。この後、操作者が、やはり無音化を希望し、４接点キー１８ｆの「下」側キーを操作すると（Ｓ２４）、受話スピーカをＯＦＦする（Ｓ２５）。この結果、再び、スピーカから音声が流れなくなる。
【００２１】
このように留守録時に無音化を解除したり、復帰したりできるようにしているのは、あくまでもそれらの操作権限をユーザに委ね、ユーザの使い勝手を拘束することのないようにするためである。
最後に、留守録のみが有効になっている場合（マナーモードはＯＦＦ）は、リンガ並びに受話スピーカをＯＮして（Ｓ２３）、通常の留守録を行う。
【００２２】
なお、実施例では、無音化解除操作、復帰操作を別のキーで行なっているが、同一キーで押されるたびに、無音化解除、復帰を交互に繰り返すように設定することも出来る。
また、上記実施例では、携帯電話機に適用した例を示しているが、本発明はこれに限らず、親子電話の子機に適用して実施することも可能である。
【００２３】
【発明の効果】
以上説明したように本発明は、着信があると自動応答して、通話相手の声を録音する留守録機能を備えた電話機であって、マナーモード設定手段と、マナーモードに設定された状態で、留守録機能が有効とされている場合に、着信があると、通話相手音出力用スピーカーを無音化する制御手段とを備えたものであるから、会議中等、静寂を要求される場所での着信を留守録する場合において、相手音声がスピーカから発せられることが無く、マナーをわきまえた使用が可能となる。
【００２４】
また、無音化制御中に、無音化解除キーを操作すると、無音化が解除され、留守録を行いながら、スピーカから音声が発されるようになる。
【図面の簡単な説明】
【図１】本発明の一実施の形態を示す携帯電話機の概略側面断面図。
【図２】携帯電話機の操作部のキー群を示す図。
【図３】携帯電話機の回路ブロック図。
【図４】モード設定操作の処理を示すフローチャート。
【図５】着信時の処理を示すフローチャート。
【符号の説明】
１０    携帯電話機
１１    第１筐体
１２    第２筐体
１３    レシーバ
１４    リンガ
１５    表示部
１６    状態検出スイッチ
１７    振動モータ
１８    操作部
１８ａ  テンキー
１８ｂ  オフフックキー
１８ｃ  オンフックキー
１８ｄ  フレキシブルキー
１８ｅ  メニュー／ＯＫキー
１８ｆ  ４接点キー
１８ｇ  クリアキー
１８ｈ  留守録キー
１９    マイク
２０    アンテナ
２１    送受信部
２３    音声処理部
３０    制御部
３１    ＣＰＵ
３２    ＲＯＭ
３３    ＲＡＭ
【図１】
2004274121.tif 000003
【図２】
2004274121.tif 000004
【図３】
2004274121.tif 000005
【図４】
2004274121.tif 000006
【図５】
2004274121.tif 000007